(57)【要約】【課題】外部電源の異常によって印刷が中断した記録媒体に対して印刷動作を再開する。【解決手段】画像記録装置１００は、外部電源に接続された内部電源と、内部電源で駆動され、記録媒体に印刷を行う印刷手段と、内部電源で駆動され、印刷手段を制御する制御部と、外部電源の状態を監視する電源監視手段と、内部電源に接続されたコンデンサと、記録媒体への印刷に関する印刷パラメータを記憶する第１の不揮発性メモリと、を有する。記録媒体への印刷中に、電源監視手段によって外部電源の異常が検出されたときに、制御部は、コンデンサに蓄えられた電気エネルギーで駆動されて、印刷パラメータを第１の不揮発性メモリに記憶する。【選択図】図１
2018176658.tif 000002
【特許請求の範囲】
【請求項１】
外部電源に接続された内部電源と、
前記内部電源で駆動され、記録媒体に印刷を行う印刷手段と、
前記内部電源で駆動され、前記印刷手段を制御する制御部と、
前記外部電源の状態を監視する電源監視手段と、
前記内部電源に接続されたコンデンサと、
前記記録媒体への印刷に関する印刷パラメータを記憶する第１の不揮発性メモリと、を有し、
前記記録媒体への印刷中に、前記電源監視手段によって前記外部電源の異常が検出されたときに、前記制御部は、前記コンデンサに蓄えられた電気エネルギーで駆動されて、前記印刷パラメータを前記第１の不揮発性メモリに記憶する、画像記録装置。
【請求項２】
前記印刷パラメータは前記記録媒体の種類と印刷品位に関するパラメータを含む、請求項１に記載の画像記録装置。
【請求項３】
印刷の再開を許可するか否かの指標である印刷再開指標が予め記憶された第２の不揮発性メモリを有し、
前記制御部は、前記外部電源が正常な状態に復帰したときに、前記第１の不揮発性メモリに記憶された前記印刷パラメータと前記第２の不揮発性メモリに記憶された前記印刷再開指標とに基づき、印刷を再開するかどうかを判定する、請求項１または２に記載の画像記録装置。
【請求項４】
前記印刷手段は液体を吐出する液体吐出ヘッドと、前記液体吐出ヘッドを搭載し、主走査方向に往復移動するキャリッジと、を有し、
前記印刷パラメータは、前記外部電源の状態が異常と判断されたときの走査に係る異常印刷データの位置情報を含み、前記制御部は印刷を再開すると判定したときに、前記第１の不揮発性メモリに記憶された前記位置情報に基づき、前記異常印刷データの先頭以降の印刷データを当該画像記録装置に接続されたホストに要求し、前記キャリッジを主走査方向における始点まで移動させ、前記始点から印刷を再開する、請求項３に記載の画像記録装置。
【請求項５】
前記印刷パラメータは、前記外部電源の状態が異常と判断されたときの印刷進捗率を含み、前記制御部は、前記第１の不揮発性メモリに記憶された前記印刷進捗率にも基づき、印刷を再開するかどうかを判定する、請求項３または４に記載の画像記録装置。
【請求項６】
前記印刷パラメータは、前記外部電源の状態が異常と判断されてから正常な状態に復帰したと判断されるまでの経過時間を含み、前記制御部は、前記第１の不揮発性メモリに記憶された前記経過時間に基づき、印刷を再開するかどうかを判定する、請求項３から５のいずれか１項に記載の画像記録装置。
【請求項７】
前記印刷パラメータは各々が数値化された複数のパラメータを含み、前記印刷再開指標は予め設定された数値であり、前記制御部は、前記複数のパラメータの乗算値と前記印刷再開指標との大小関係に基づき、印刷を再開するかどうかを判定する、請求項３から６のいずれか１項に記載の画像記録装置。
【請求項８】
前記大小関係を変更するための入力手段を有する、請求項７に記載の画像記録装置。
【請求項９】
前記印刷再開指標と前記印刷パラメータの少なくともいずれかの入力手段を有する、請求項３から８のいずれか１項に記載の画像記録装置。
【請求項１０】
前記制御部は、前記記録媒体への印刷中に前記外部電源の状態が異常と判断されたときに、前記印刷手段の作動を停止させる、請求項１から９のいずれか１項に記載の画像記録装置。
【請求項１１】
前記外部電源の異常は外部電源の供給停止または電圧低下である、請求項１から１０のいずれか１項に記載の画像記録装置。
【請求項１２】
外部電源に接続された内部電源と、前記内部電源で駆動され、記録媒体に印刷を行う印刷手段と、前記内部電源で駆動され、前記印刷手段を制御する制御部と、前記外部電源の状態を監視する電源監視手段と、前記内部電源に接続されたコンデンサと、前記記録媒体への印刷に関する印刷パラメータを記憶する不揮発性の第１の不揮発性メモリと、を有する画像記録装置を用いた画像記録方法であって、
前記記録媒体への印刷中に、前記外部電源の状態が前記電源監視手段によって異常と判断されたときに、前記制御部が、前記コンデンサに蓄えられた電気エネルギーで駆動されて、前記印刷パラメータを前記第１の不揮発性メモリに記憶することを有する画像記録方法。
【請求項１３】
第２の不揮発性メモリに、印刷の再開を許可するか否かの指標である印刷再開指標が予め記憶されており、
前記外部電源が正常な状態に復帰したときに、前記制御部が、前記第１の不揮発性メモリに記憶された前記印刷パラメータと、前記第２の不揮発性メモリに記憶された前記印刷再開指標とに基づき、印刷を再開するかどうかを判定する、請求項１２に記載の画像記録方法。
【発明の詳細な説明】
【技術分野】
【０００１】
本発明は画像記録装置と画像記録方法に関し、特に停電等で印刷動作が停止した後、外部電源が復旧したときの印刷動作の制御機構に関する。
【背景技術】
【０００２】
インクジェットプリンターなどの画像記録装置においては、印刷中に電力の供給停止や瞬断が生じて印刷動作が一時的に停止した場合、印刷中の画像やドキュメントを廃棄せざるを得ない場合が多い。このことは用紙やインク等の無駄な消費につながる。特に近年増えてきたポスターなどの大型サイズの印刷が可能な大判プリンタにおいては、印刷中の停電のために印刷を最初からやり直すと、ユーザの負担、印刷コスト、作業時間などは大きいものになる。電源事情が悪い環境などで瞬断が頻繁に発生する場合にも同様の問題が生じる。従って、成果物の品質に問題のない範囲であれば、外部電源の復旧後に、途中で印刷が中断した記録媒体に対して印刷動作を再開することで、上記の問題を回避することが望まれる。
特許文献１には、印字動作を制御する制御装置と、異常状態を検出する異常検出手段と、を備えたインクジェット記録装置が開示されている。異常検出手段によって異常が検出されると、制御装置は印字を停止するとともに印字停止位置を記憶する。記録装置は印字再開後に記憶された印字停止位置から印字を再開する。
【先行技術文献】
【特許文献】
【０００３】
【特許文献１】特開２０１２−２０４０５号公報
【発明の概要】
【発明が解決しようとする課題】
【０００４】
特許文献１に記載の異常検出手段によって検出される異常状態は、インク量低下、搬送異常及びインク粒子飛翔異常であり、外部電源の異常によって印刷が中断される事象は考慮されていない。すなわち、外部電源の異常が生じると印字停止位置の記憶ができなくなるため、印字の再開自体が不可能となる。
本発明は、外部電源の異常によって印刷が中断した記録媒体に対して印刷動作を再開することが可能な画像記録装置を提供することを目的とする。
【課題を解決するための手段】
【０００５】
本発明の画像記録装置は、外部電源に接続された内部電源と、内部電源で駆動され、記録媒体に印刷を行う印刷手段と、内部電源で駆動され、印刷手段を制御する制御部と、外部電源の状態を監視する電源監視手段と、内部電源に接続されたコンデンサと、記録媒体への印刷に関する印刷パラメータを記憶する第１の不揮発性メモリと、を有する。記録媒体への印刷中に、電源監視手段によって外部電源の異常が検出されたときに、制御部は、コンデンサに蓄えられた電気エネルギーで駆動されて、印刷パラメータを第１の不揮発性メモリに記憶する。
【発明の効果】
【０００６】
電源監視手段によって外部電源の異常が検出されると、制御部は、コンデンサに蓄えられた電気エネルギーで駆動され、印刷パラメータを第１の不揮発性メモリに記憶する。すなわち、外部電源の異常が検出された後、制御部は、コンデンサに蓄えられた電気エネルギーによって作動が可能な間に、印刷パラメータを第１の不揮発性メモリに記憶する。第１の不揮発性メモリはコンデンサに蓄えられた電気エネルギーが消費されても印刷パラメータを保持することができるため、印刷再開後に第１の不揮発性メモリに記憶された印刷パラメータを参照して印刷を再開することができる。従って、本発明によれば、外部電源の異常によって印刷が中断した記録媒体に対して印刷動作を再開することが可能となる。
【図面の簡単な説明】
【０００７】
【図１】本発明の一実施形態に係る画像記録装置の概略構成図である。
【図２】外部電源異常発生時の処理を示す流れ図である。
【図３】外部電源復旧時の処理を示す流れ図である。
【発明を実施するための形態】
【０００８】
以下、本発明の実施形態について説明する。図１（ａ）は、本発明の一実施形態に係る画像記録装置の概略構成図、図１（ｂ）は印刷手段の主要構成要素の斜視図である。画像記録装置１００はＰＣなどのホスト（図示せず）に接続されている。画像記録装置１００は商用ＡＣ電源である外部電源に接続された内部電源１１０と、内部電源１１０で駆動され、記録媒体に印刷を行う印刷手段１１１と、内部電源１１０で駆動され、印刷手段１１１を制御する制御部（ＣＰＵ１０４）と、を有している。記録媒体はここでは枚用紙であるが、連続シートであってもよい。内部電源１１０は、外部電源に接続され交流電圧を直流電圧に変換するＡＣ／ＤＣ電源１０１と、ＡＣ／ＤＣ電源１０１に接続されたＤＣ／ＤＣコンバータ１０２と、を有している。ＡＣ／ＤＣ電源１０１は外部電源を出力３２Ｖの直流電圧に変換する。ＤＣ／ＤＣコンバータ１０２は出力３２Ｖの直流電圧を画像記録装置１００内の様々な構成要素のために複数の電圧の直流電圧に変換する。具体的にはＣＰＵ１０４のコア用電源としての１.１Ｖの直流電圧と、センサなどの一般Ｉ／Ｏ用として使用する３.３Ｖ及び５Ｖの直流電圧と、一部のモータやアクチュエータ駆動用の１２Ｖの直流電圧と、が生成される。モータの駆動などに使用する３２Ｖの直流電圧は、ＡＣ／ＤＣ電源１０１から出力される３２Ｖの直流電圧がそのまま使用される。
【０００９】
ＡＣ／ＤＣ電源１０１とＤＣ／ＤＣコンバータ１０２との間には、電圧平滑化のための２次側コンデンサ１１２が実装されている。コンデンサ１１２は停電や瞬断が発生した際にＣＰＵ１０４に駆動エネルギーを供給することもできる。コンデンサ１１２はＤＣ／ＤＣコンバータ１０２と接続されており、後述するように、ＣＰＵ１０４の駆動電力を生成するＤＣ／ＤＣコンバータ１０２に、電気エネルギーを一定時間供給することができる。
【００１０】
外部電源の接続部（コンセント）とＡＣ／ＤＣ電源１０１との間には電源監視手段１０３が設けられている。電源監視手段１０３は外部電源の状態を監視する。すなわち、電源監視手段１０３は、ＡＣ／ＤＣ電源１０１への入力電圧を監視することにより、画像記録装置１００が接続されている商用ＡＣ電源の停電や、瞬断による電源供給の一時的な中断を検出する。なお、本発明は、外部電源の電圧がＡＣ／ＤＣ電源１０１やＤＣ／ＤＣコンバータ１０２の作動可能電圧より低下した場合など、停電や瞬断だけでなく、周波数の急変など外部電源に異常が生じた場合にも適用することができる。電源監視手段１０３はＡＣ／ＤＣ電源１０１への入力電圧の低下を検出すると、ＣＰＵ１０４への信号レベルを変化させることによって、外部電源の異常、特に停電や瞬断の発生をＣＰＵ１０４に通知する。ＣＰＵ１０４はその信号レベルの変化により割り込みを発生させ、ソフトウエアによる制御を行う。制御の内容については後述する。
【００１１】
画像記録装置１００は、第１の不揮発性メモリ１０５ａと、第２の不揮発性メモリ１０５ｂと、を有している。第１の不揮発性メモリ１０５ａはＣＰＵ１０４の指令に基づき、記録媒体への印刷に関する印刷パラメータを記憶する。第２の不揮発性メモリには印刷の再開を許可するか否かの指標である印刷再開指標が予め記憶されている。第１の不揮発性メモリ１０５ａと第２の不揮発性メモリ１０５ｂは物理的に同一の不揮発性メモリであるが、物理的に異なる不揮発性メモリであってもよい。印刷パラメータは、印刷中の記録媒体（メディア、記録紙）の種類、印刷品位、印刷進捗率など、印刷再開時に必要もしくは有益となるパラメータを含む。詳細は後述する。第１の不揮発性メモリ１０５ａと第２の不揮発性メモリ１０５ｂに記憶されたこれらのデータは、外部電源電圧の低下、停電、瞬断などによりＡＤ電源及びＤＣ電源が喪失しても保持される。
【００１２】
印刷手段１１１は、インクなどの液体を吐出する液体吐出ヘッド１０６と、液体吐出ヘッド１０６を搭載し、主走査方向に往復移動するキャリッジ１０７と、ラインフィード機構１０８と、を有している。液体吐出ヘッド１０６はインクジェット方式を採用している。液体吐出ヘッド１０６はユーザによる交換が可能である。キャリッジ１０７はキャリッジモータ（図示せず）に駆動されて記録媒体上を主走査方向に往復移動する。液体吐出ヘッド１０６はキャリッジ１０７の走査に同期して、記録媒体上の所定の位置にインクを吐出して画像を形成する。走査領域における始端から終端までの印刷が完了すると、記録媒体はラインフィード機構１０８によって副走査方向（主走査方向と直交する方向）に送られ、次の走査が行われる。タイマー１０９はカウントの開始及び停止とカウント値の読みだしが可能な構成となっている。タイマー１０９は通常、ＣＰＵ１０４内部のクロックによるカウンタを用いて時刻計測を行うことで実現される。
【００１３】
図２は外部電源異常発生時の処理を示す流れ図である。ここでは、商用ＡＣ電源の瞬断や停電によりＤＣ電源の電圧低下が発生した場合に画像記録装置１００内で行われる処理の流れについて説明する。電源監視手段１０３は、ＡＣ／ＤＣ電源１０１に供給される商用ＡＣ電源の電圧低下を監視する（ステップＳ１０１）。電源監視手段１０３は、商用ＡＣ電源の電圧低下を検出しない場合は監視を続け、電圧低下を検出すると、ＣＰＵ１０４に通知する。商用ＡＣ電源の電圧低下の判定は、ＡＣ入力の波形（周波数５０Ｈｚもしくは６０Ｈｚ）を監視することで行う。ＡＣ入力の波形を直接監視する代わりに、ＡＣ入力が停止している時間を計測することで、２次側ＤＣ電圧（ＤＣ／ＤＣコンバータ１０２の出力側ＤＣ電圧）の低下を予測してもよい。あるいは、ＡＣ／ＤＣ電源１０１内部の１次電解コンデンサ（図示せず）の端子間電圧を監視することでＡＣ入力の停止を推定してもよい。瞬断や停電が生じると、１次電解コンデンサに蓄えられている電荷が減少し、２次側ＤＣ電圧への変換ができなくなる。
【００１４】
ＣＰＵ１０４は、電源監視手段１０３からの通知を検出すると、現在画像記録装置１００が印刷を行っているか否かを判断する（ステップＳ１０２）。印刷を行っていない場合には、ＣＰＵ１０４は、画像記録装置１００の電源オフ処理を行う（ステップＳ１０４）。ＡＣ／ＤＣ電源１０１への電源供給が停止しているため、ＡＣ／ＤＣ電源１０１からＤＣ／ＤＣコンバータ１０２への３２Ｖ電源の供給も停止する。このとき、３２Ｖ電源はコンデンサ１１２に充電されている電荷によって維持されている状態となる。コンデンサ１１２の放電が進み、ＤＣ／ＤＣコンバータ１０２への供給電圧がＤＣ／ＤＣコンバータ１０２の動作下限電圧を下回ると、ＤＣ／ＤＣコンバータ１０２からのＤＣ電源の供給が停止し、ＣＰＵ１０４も停止する。従って、ＣＰＵ１０４はＤＣ／ＤＣコンバータ１０２からのＤＣ電源供給が停止するまでの間に電源オフ処理を完了させる。画像記録装置１００は印刷動作を行っていないため、コンデンサ１１２の電荷の消費は少ない。従って、ＣＰＵ１０４が電源オフ処理を行う時間は確保されている。この間にＣＰＵ１０４はコンデンサ１１２に蓄えられた電気エネルギーで駆動されて次回の起動時に必要なパラメータを第１の不揮発性メモリ１０５ａに格納する。コンデンサ１１２に蓄えられた電気エネルギーで駆動されるとは、より正確には、コンデンサ１１２に蓄えられた電気エネルギーから生成され、ＤＣ／ＤＣコンバータ１０２から出力されるＣＰＵ駆動用ＤＣ電圧でＣＰＵ１０４が駆動されることを意味する。その処理の終了後、ＤＣ／ＤＣコンバータ１０２からの供給電圧の低下に従い、ＣＰＵ１０４を含む画像記録装置１００は動作を停止する。
【００１５】
ステップＳ１０２で画像記録装置１００が印刷中であった場合も、ＣＰＵ１０４は、ＤＣ／ＤＣコンバータ１０２からのＤＣ電源の供給が停止しＣＰＵ１０４が停止するまでの間に必要な処理を行う。ＣＰＵ１０４はまず印刷手段１１１を停止させる。具体的には、ＣＰＵ１０４は２次側ＤＣ電源である３２Ｖを直接消費するモータを停止するとともに、液体吐出ヘッド１０６への電源供給を停止する。これによりコンデンサ１１２に充電されている電荷の消費が抑制される。記録媒体への印刷中であるため、画像記録装置１００ではキャリッジ１０７が往復移動し、液体吐出ヘッド１０６からインクが吐出され、キャリッジ１０７の動きに同期してラインフィード機構１０８による記録媒体の搬送が行われている。ＤＣ電源の供給が停止するため、キャリッジ１０７は記録媒体上、すなわち主走査方向の始点と終点の間で停止する可能性が高い。画像の印刷はキャリッジ１０７の走査の途中で中断し、画像記録装置１００内には印刷途中の記録媒体が残されることになる。
【００１６】
ＣＰＵ１０４は次に、印刷パラメータを第１の不揮発性メモリ１０５ａに記憶させる。印刷パラメータは、印刷中の記録媒体の種類、印刷品位、印刷進捗率、異常印刷データの位置情報などである。記録媒体の種類は普通紙、光沢紙などの記録媒体の種別である。印刷品位は「きれい」モード、「普通」モード、「早い」モードなどの印刷モードである。印刷進捗率は、記録媒体１ページあたりの印刷量（印刷データ）に対する印刷がすでに行われた量（印刷済データ）の比率である。異常印刷データの位置情報は、外部電源の状態が異常と判断されたときの走査に係る印刷データの位置情報である。異常印刷データは、キャリッジ１０７を備えた画像記録装置１００が１回の走査で印刷する一定量のブロックデータ(以下、走査ブロックという)を意味する。例えば、１ページあたりの印刷データが１０個の走査ブロックからなり、７番目の走査ブロックの印刷中に外部電源の状態が異常と判断された場合、異常印刷データは７番目走査ブロックである。また、異常印刷データの位置情報は、走査ブロックが７番目であるという情報である。異常印刷データの位置情報は、外部電源の状態が異常と判断されたときにまさに印刷が行われている（または印刷直前もしくは直後の）箇所の、印刷データ内のアドレス情報でもよい。
【００１７】
２次側のＤＣ電圧は低下しモータや液体吐出ヘッド１０６の駆動はできない状態となっているが、ＣＰＵ１０４の駆動電圧を生成するＤＣ／ＤＣコンバータ１０２の動作下限電圧を下回らない間は、ＣＰＵ１０４は動作可能な状態にある。従って、ＣＰＵ１０４はＣＰＵ１０４自身が動作可能である間に、印刷パラメータを第１の不揮発性メモリ１０５ａに書き込む（ステップＳ１０３）。その後ＣＰＵ１０４は、電源オフ処理を行う（ステップＳ１０４）。
【００１８】
次に、図３を用いて、停電状態からの復帰後の処理を説明する。図３は外部電源復旧時の処理を示す流れ図である。まず、電源オン処理が行われる。ＣＰＵ１０４は、電源オンが印刷中の停電からの復帰であるかどうかを判定する（ステップＳ２０１）。第１の不揮発性メモリ１０５ａに印刷パラメータが記憶されている場合、印刷中の停電からの復帰であると判断することができる。印刷中の停電からの復帰でない場合、画像記録装置１００は通常起動される（ステップＳ２１０）。印刷中の停電からの復帰である場合、ラインフィード機構１０８に印刷が中断された記録媒体が存在し、その記録媒体上に記録ヘッド１０６が搭載されたキャリッジ１０７が停止している可能性が高い。
【００１９】
ＣＰＵ１０４は第１の不揮発性メモリ１０５ａから印刷パラメータ、すなわち記録媒体の種類、印刷品位（印刷モード）、印刷進捗率と、異常印刷データの位置情報と、を読み出す（ステップＳ２０２）。これとともに、ＣＰＵ１０４は第２の不揮発性メモリ１０５ｂから印刷再開指標を読み出す。ＣＰＵ１０４はこれらの印刷パラメータと印刷再開指標に基づき、印刷を再開するか否かの判断を行う（ステップＳ２０３）。判断がどのように行われるかは後述する。印刷を再開すると判断された場合には、途中で停止した異常印刷データの先頭からあらためてキャリッジ１０７を駆動することにより印刷を再開する。この目的で、ＣＰＵ１０４はまず、ステップＳ２０２で読み出した異常印刷データの位置情報から印刷を再開すべき走査ブロックを取得する（ステップＳ２０５）。例えば、上述のように７番目の走査ブロックの印刷中に外部電源の状態が異常と判断された場合、ＣＰＵ１０４は印刷を再開すべき走査ブロックは７番目の走査ブロックであると判断する。ＣＰＵ１０４は次に、印刷を再開する異常印刷データの先頭以降の印刷データをホストに要求し、異常印刷データの先頭以降の印刷データを取得する（ステップＳ２０６）。すなわち、ＣＰＵ１０４は７番目の走査ブロック以降の走査ブロックのデータをホストから取得する。次にＣＰＵ１０４は、キャリッジ１０７を主走査方向の始点まで移動させ、始点から印刷を再開する（ステップＳ２０７）。次にＣＰＵ１０４は、ページの印刷が完了したかどうかを判定する（ステップＳ２０８）。ＣＰＵ１０４は印刷が完了したときに、第１の不揮発性メモリ１０５ａに格納されている印刷パラメータを消去する（ステップＳ２０９）。これによって、次に画像記録装置１００が起動したときに、第１の不揮発性メモリ１０５ａに印刷パラメータが記憶されていないこととなるため、ＣＰＵ１０４は当該起動が停電からの復帰でない正常起動であると判定することができる。ページの印刷が完了していない場合は未完了処理が行われ（ステップＳ２１１）、画像記録装置１００は印刷が完了するまで引き続き印刷を行う。
【００２０】
次に、印刷を再開するか否かの判断をどのようにして行うかを説明する。上述した印刷パラメータの内容によっては、途中で印刷が中断した記録媒体に対して印刷動作を再開することが望まれない場合がある。すなわち、一旦印刷が中断された記録媒体に対して印刷を再開して作成された成果物は、当該印刷パラメータに対して通常期待される印刷品質を備えていない可能性がある。この場合、結局新しい記録媒体に印刷をやり直すことになり、かえって印刷コストや作業時間が増える可能性がある。このため、本実施形態では印刷パラメータを考慮して印刷を再開するかどうかを判定する。
【００２１】
表１は、印刷パラメータの具体例を示している。印刷パラメータは各々が数値化された複数のパラメータを含んでいる。ここでは記録媒体の種類と印刷品位（印刷モード）の例を示している。記録媒体の種類は普通紙と光沢紙であり、それぞれ指標値として１．２と１．０が割り当てられている。印刷品位（印刷モード）は「きれい」「普通」「早い」の３つであり、それぞれ指標値として１．２，１．０，０．８が割り当てられている。印刷再開指標は予め設定された数値であり、ここでは１．０としている。
【００２２】
【表１】
2018176658.tif 000003
【００２３】
ＣＰＵ１０４は記録媒体の種類の指標値と印刷品位の指標値の乗算値を計算し、求められた乗算値を印刷再開指標と比較する。ＣＰＵ１０４は乗算値が印刷再開指標より大きい場合、印刷の再開を許可し、乗算値が印刷再開指標と同じまたは印刷再開指標より小さい場合、印刷の再開を許可しない。例えば、記録媒体が光沢紙で印刷品位が「普通」の場合、乗算値は１．２となり印刷再開指標（＝１．０）より大きくなるので、ＣＰＵ１０４は印刷の再開を許可する。印刷の再開を許可しない場合、画像記録装置１００のディスプレイにその旨を表示してもよい。記録媒体は自動的に排紙され、新しい記録媒体に最初から印刷が行われる。ディスプレイに排紙を促すメッセージを表示し、ユーザが排紙を行った後に新しい記録媒体に印刷を行うようにしてもよい。光沢紙の指標値を普通紙の指標値よりも高く設定することで、高価な光沢紙が普通紙よりも印刷再開を許可されやすくなり、ユーザの不利益を避けることができる。「きれい」モードは、インク消費量が多く、印刷コストのかかる印刷モードであるため、印刷再開が許可されやすくなっている。ここでは印刷パラメータの指標値の乗算値が印刷再開指標より大きい場合に印刷の再開を許可しているが、指標値を変更して印刷パラメータの指標値の乗算値が印刷再開指標より小さい場合印刷の再開を許可するようにしてもよい。この場合、光沢紙の指標値は普通紙の指標値より低く設定され、印刷品位の指標値は「早い」「普通」「きれい」の順に小さくなるように設定される。いずれにしても、ＣＰＵ１０４は、複数のパラメータの指標値の乗算値と印刷再開指標との大小関係に基づき、印刷を再開するかどうかを判定する。
【００２４】
印刷パラメータの指標値と印刷再開指標の少なくともいずれかをユーザが入力することもできる。その目的で、画像記録装置１００には印刷パラメータの指標値と印刷再開指標の入力手段（図示せず）が設けられていてもよい。入力手段は画像記録装置１００に設けられたタッチパネルやボタンであってもよいし、ホストから入力された印刷再開指標を受け取り記憶するソフトウエア手段であってもよい。例えば、印刷モードが「きれい」モードである場合、印刷を再開しても所望の印刷品位が得られない可能性がある。その場合、ユーザが印刷再開指標をより大きな値に設定することで、「きれい」モードであっても印刷の再開が許可されにくい設定にすることができる。印刷パラメータによらず印刷の再開が許可されやすくするために、印刷再開指標をより小さい数値に設定することもできる。「きれい」モードに期待される印刷品位がそれほど高くない場合は、「きれい」モードに対応する指標値をより大きな数値（例えば１．４）に設定することで、印刷の再開が許可されやすくすることもできる。
【００２５】
また、光沢紙に「きれい」モードで印刷する場合は、一般に印刷品位に対する期待が高いことが予想される。その場合、光沢紙に印刷を再開して完成された画像の品質がユーザの期待に沿わないことも考えられるため、積極的に印刷再開を回避する設定が望まれる可能性がある。逆に、普通紙に「早い」モードで印刷する場合のように高い印刷品位があまり期待されていないときは、積極的に印刷再開を行うような設定が望まれる可能性もある。すなわち、ユーザが上述の考え方とは全く逆の考え方をとることも考えられる。この場合、印刷パラメータの指標値の乗算値が印刷再開指標より小さい場合に印刷の再開を許可するように設定することができる。このような印刷パラメータの指標値の乗算値と印刷再開指標の大小関係についても、ユーザが上記入力手段を介して設定することができる。
【００２６】
停電復帰からの印刷再開をユーザにその都度判断させることも可能である。この場合、ユーザの判断の参考データとして、画像記録装置１００のディスプレイに印刷パラメータの乗算値と印刷再開指標を表示してもよい。記録媒体の種類と印刷品位に応じて異なる処理を行うこともできる。例えば、普通紙の使用時には画像記録装置１００が自動的に印刷再開の可否を判断し、光沢紙の使用時にはユーザ指示により印刷再開の可否を判断することができる。
【００２７】
印刷再開の判断に印刷進捗率を考慮することもできる。例えば印刷進捗率が８０％以上の場合の指標値を１．１、２０〜８０％の場合の指標値を１．０、２０％未満の場合の指標値を０．９として、前述の乗算値に乗じる。すなわち、記録媒体の種類の指標値と印刷品位の指標値と印刷進捗率の指標値の乗算値を計算し、求められた乗算値を印刷再開指標と比較する。印刷進捗率が高い場合に印刷を中止して新しい記録媒体に印刷をやり直すと、印刷コストや印刷時間の無駄となるため、印刷進捗率が高いほど、印刷再開が許可されやすい設定にすることができる。
【００２８】
印刷パラメータに、外部電源の状態が異常と判断されてから正常な状態に復帰したと判断されるまでの経過時間、すなわち印刷が停止してから再開するまでの経過時間を含めることもできる。この場合、ＣＰＵ１０４は外部電源の状態が異常と判断されたときの時刻をＣＰＵ１０４に内蔵されたタイマーから読み出し、当該時刻を第１の不揮発性メモリ１０５ａに格納する。ＣＰＵ１０４は画像記録装置１００が再起動したときの時刻をタイマーから読み出し、第１の不揮発性メモリ１０５ａに格納された時刻からの経過時間を算出する。インクジェット方式では、すでに印刷を行った画像の経過時間によっては、次に印刷を行う画像との色味の違いが発生する可能性がある。電源供給停止による印刷停止が電源の瞬停による短時間の停止によるものか、比較的長い時間の停電によるものかで判断を変えることにより、瞬停程度の停止が発生した印刷ジョブに対し印刷が再開しやすくなる設定が可能である。例えば、１秒以下の経過時間に対しては指標値として１．１を、１秒を上回る経過時間に対しては指標値として０．９を割り当てることが考えられる。
【符号の説明】
【００２９】
１００  画像記録装置
１０１，１０２  内部電源
１０３  電源監視手段
１０４  制御部
１０５ａ  第１の不揮発性メモリ
１０５ｂ  第２の不揮発性メモリ
１１１  印刷手段
１１２  コンデンサ
【図１】
2018176658.tif 000004
【図２】
2018176658.tif 000005
【図３】
2018176658.tif 000006